(57)【特許請求の範囲】
【請求項１】
１枚の樹脂フィルムを折り返して該折り返し線を底辺部となし、該底辺部を除く周囲をシール部としてシールすることで物質を封入する収容部が形成され、前記シール部に切り込まれた開封切込み線に沿って先端開封部を袋本体部から切り離すことにより注出口を形成して、封入した物質を注出できるようにした袋であって、
前記開封切込み線は、前記折り返した底辺部に対して垂直又は略垂直な方向に切り込まれており、
該先端開封部は、前記シール部を前記開封切込み線の切込み方向と反対側に延長するように立設させた開封ツマミ片を有しており、
前記開封切込み線を挟んで前記開封ツマミ片と隣接する部分の前記袋本体部のシール部に切欠き領域が設けられており、
前記開封ツマミ片を摘んで前記先端開封部を前記袋本体部から切り離すことにより、前記底辺部を開口周縁部に含むように前記注出口を形成できるようになっており、
前記収容部との境界線が前記底辺部に対して平行でも垂直でもない方向に延長する傾斜シール部を有しており、該傾斜シール部に前記開封切込み線を有しており、
前記切欠き領域は、前記傾斜シール部に、前記開封切込み線の切込み開始部を頂部とする三角形状の切欠きとして形成されており、
前記三角形状の切欠き領域の切欠き基端部における幅Ｗ2が前記開封ツマミ片の幅Ｗ1と同じか又はＷ1より大きくなっており、
前記開封切込み線は、前記先端開封部を切り離した際に形成される前記注出口の当該開封切込み線に沿った開口長さＬ2が１〜１０ｍｍになるような位置に設けられている袋。
【請求項２】
前記開封ツマミ片の幅Ｗ1が３〜４０ｍｍ、長さＬ1が５〜４０ｍｍの範囲であり、Ｌ1／Ｗ1が１〜６である請求項１記載の袋。
【発明の詳細な説明】
【技術分野】
【０００１】
本発明は、袋に関し、特に開封切込み線に沿って先端開封部を切り離すことにより注出口を形成して、封入された物質を注出できるようにした袋に関する。
【背景技術】
【０００２】
シャンプー等の液体洗浄剤、化粧水等の液体化粧料、醤油等の液体調味料などの各種の液体製品あるいは、衣料洗剤や酸素系漂白剤などの粉末洗浄剤、乾燥出汁やスパイスなどの粉末調味料等の各種粉末製品を少量づつ封入した簡易な袋状容器として、樹脂フィルムからなる袋が多用されている。これらの袋は、一枚の樹脂フィルムを折り返して重ね合わせた状態、あるいは、２枚の樹脂フィルムを重ね合わせた状態で、周縁部分をシールすることによって物質を封入する収容部が形成されている。
【０００３】
これらの袋には、封入された製品を使用する時に開封部を切り離すことで注出口を形成して内容物を注出するために、ミシン目や切欠き等の開封手段が施されている。さらに、袋の開封操作を行い易くする方法として、注出口が形成される部分の形状を工夫したり、シール部の周縁部に形成される切込み線の位置や切り欠きの形状を工夫したり、摘み片を設けたりすることが行われている（例えば、特許文献１参照）。
【先行技術文献】
【特許文献】
【０００４】
【特許文献１】特開２００５−２８０７４８号公報
【発明の概要】
【発明が解決しようとする課題】
【０００５】
このように各種の工夫がなされているにもかかわらず、依然として開封が困難な場合があった。たとえば醤油等の調味料を弁当に配置すると、樹脂フィルムが揚げ物等の油に覆われて滑りやすくなってしまう。また、調理時に粉末調味料を用いる場合にも食材の油によって手が滑りやすく開封しづらいことがあった。さらに、開封後に形成される、重ね合わせた樹脂フィルムによって挟まれる部分の注出口から、安定した状態で内容物を注出し易くするための工夫については殆どなされていないのが現状である。
【０００６】
特に、他の化粧料によって肌面に化粧を行った指や手で、そのまま袋に封入された仕上用の化粧水を使用する場合等、ぬるぬるとした滑り易い指や手によって開封操作や注出操作を行うことが予想される袋については、簡易な構成で、さらに開封操作をし易くすると共に、開封後に形成された注出口の開口形状を所望の大きさに容易に保持させて、さらに安定した状態で内容物を注出し易くするための新たな技術の開発が望まれている。
【０００７】
ところで、袋を構成する樹脂フィルムは、フィルム製造の過程で延伸されるため延伸方向に配向があるのが一般的である。このような樹脂フィルムは配向方向に平行な方向には切り裂くことが容易であるが、配向方向と垂直な方向にはフィブリル化が起こり、切断しづらい傾向がある。
【０００８】
本発明は、簡易な構成によって、配向方向とは異なる方向に樹脂フィルムを切り離して注出口を形成する場合でも、さらに開封操作をし易くすると共に、開封後に形成された注出口の開口形状を所望の大きさに容易に保持させて、安定した状態で内容物を注出させることのできる袋を提供することを課題とする。
【課題を解決するための手段】
【０００９】
かかる実情において本発明者は、１枚の樹脂フィルムを折り返して折り返し線以外の周囲をシールした袋において、折り返し部を含むように注出口を開口させるとフィルムの復元力によって、自然に注出口が開き、内容物を注出しやすいことを見出した。また、１枚の樹脂フィルムを折り返して折り返し線以外の周囲をシールした袋は、いわゆる縦型整袋充填機によって製造されるのが一般的であり、縦型整袋充填機によって製造される袋は、折り返し線に沿った方向が樹脂フィルムの延伸方向（配向方向）となるため、これと垂直又は略垂直な方向には袋を切り裂き難くなっているが、特定の形状の開封ツマミを設けることで、配向方向と垂直又は略垂直な方向への開封操作が容易になることを見出した。
【００１０】
すなわち、本発明は、１枚の樹脂フィルムを折り返して該折り返し線を底辺部となし、該底辺部を除く周囲をシール部としてシールすることで物質を封入する収容部が形成され、前記シール部に切り込まれた開封切込み線に沿って先端開封部を袋本体部から切り離すことにより注出口を形成して、封入した物質を注出できるようにした袋であって、前記開封切込み線は、前記折り返した底辺部に対して垂直又は略垂直な方向に切り込まれており、該先端開封部は、前記シール部を前記開封切込み線の切込み方向と反対側に延長するように立設させた開封ツマミ片を有しており、前記開封切込み線を挟んで前記開封ツマミ片と隣接する部分の前記袋本体部のシール部に切欠き領域が設けられており、前記開封ツマミ片を摘んで前記先端開封部を前記袋本体部から切り離すことにより、前記底辺部を開口周縁部に含むように前記注出口を形成できるようになっている袋を提供することにより、上記目的を達成したものである。
【発明の効果】
【００１１】
本発明の袋によれば、簡易な構成によって、配向方向とは異なる方向に樹脂フィルムを切り離して注出口を形成する場合でも、さらに開封操作をし易くすると共に、開封後に形成された注出口の開口形状を所望の大きさに容易に保持させて、安定した状態で内容物を注出することができる。
【図面の簡単な説明】
【００１２】
【図１】本発明の好ましい第１実施形態に係る袋の正面図である。
【図２】袋を開封して内容物を注出する状態を説明する部分斜視図である。
【図３】本発明の好ましい第２実施形態に係る袋の正面図である。
【図４】本発明の好ましい第３実施形態に係る袋の正面図である。
【図５】本発明の好ましい第４実施形態に係る袋の正面図である。
【図６】本発明の好ましい第５実施形態に係る袋の正面図である。
【図７】第４実施形態に係る袋において、開封ツマミ片を摘んでせん断方向に開封操作を行う状況を説明する正面図である。
【図８】第４実施形態に係る袋において、開封ツマミ片を摘んで引張り方向に開封操作を行う状況を説明する、（ａ）正面図、（ｂ）は上面図である。
【図９】（ａ），（ｂ）は、傾斜シール部を有する袋において、注出口の開口長さが調整可能な状況を説明する正面図である。
【発明を実施するための形態】
【００１３】
図１に示す本発明の好ましい第１実施形態に係る袋１０は、収容する物質として例えば化粧水を封入した、樹脂フィルムからなる扁平な使い捨て用の袋状の製品である。本第１実施形態の袋１０は、使用時に一方の手で袋本体部１７における開封切込み線１４の近傍部分を把持しつつ、もう一方の手で開封ツマミ片２０を摘んで開封操作を行うことで（図７、図８参照）、注出口１６を容易に形成できるようになっており（図２参照）、また形成した注出口１６の開口形状を容易に保持して、化粧水を安定した状態で注出させる機能を備えている。
【００１４】
すなわち、本第１実施形態の袋１０は、１枚の樹脂フィルムを折り返してこの折り返し線を底辺部１１となし、この底辺部１１を除く周囲をシール部１２としてシールすることで化粧水を封入する収容部１３が形成され、シール部１２に切り込まれた開封切込み線１４に沿って先端開封部１５を袋本体部１７から切り離すことにより注出口１６を形成して（図２参照）、封入した化粧水を注出できるようにした袋状の容器である。開封切込み線１４は、折り返した底辺部１１に対して垂直又は略垂直な方向に切り込まれており、先端開封部１５は、シール部１２を開封切込み線１４の切込み方向と反対側に延長するように立設させた開封ツマミ片２０を有しており、開封切込み線１４を挟んで開封ツマミ片２０と隣接する部分の袋本体部１７のシール部１２に切欠き領域２１が設けられている。そして、開封ツマミ片２０を摘んで先端開封部１５を袋本体部１７から切り離すことにより、図２に示すように、底辺部１１を開口周縁部１６ａに含むように注出口１６を形成できるようになっている。
【００１５】
また、本第１実施形態では、収容部１３との境界線１８ａが底辺部１１に対して平行でも垂直でもない方向に延長する傾斜シール部１８を有しており、この傾斜シール部１８に開封切込み線１４を有している。
【００１６】
本第１実施形態では、袋１０は、１枚の樹脂フィルムを用いて形成される。袋１０を形成するための樹脂フィルムとしては、内面に熱接着性樹脂（シーラント層）を積層した合成樹脂フィルム、すなわち、積層フィルムが用いられる。積層フィルムのベースフィルム層としては、一軸もしくは二軸延伸のエチレンビニルアルコール共重合体、ポリオレフィン、ポリエステル、ポリアミド、ポリイミドもしくは塩化ビニリデン等の合成樹脂フィルムから構成されることが好ましい。シーラント層には、低密度ポリエチレン、直鎖状低密度ポリエチレン、エチレン−酢酸ビニル共重合体、ポリプロピレンなどのオレフィン系の熱接着性樹脂を用いれば、比較的低い温度のヒートシール温度で優れたシール強度を発揮することができる。また、ベースフィルム層とシーラント層の間に中間層を設けてもよく、包装袋として必要とする性質、たとえば水蒸気不透過性やガスバリア性、剛性などを向上させるために適宜、中間層を積層させることが好ましい。中間層としては、Ｓｉ０2蒸着層、塩化ビニリデンコーティング層、酸化アルミニウムコーティング層、Ａｌ蒸着層あるいはＳｉ０2やＡｌ、Ａｌ2０3などのスパッタリング層などが好適である。ここで、先端開封部１５を切り離して形成される注出口１６の開口形状を保持し易くするためには、弾性率の高い樹脂を選ぶことが好ましい。
【００１７】
また、本第１実施形態では、袋１０は、例えば縦型整袋充填機を使用し、例えば所望の幅の帯状に裁断された１枚の樹脂フィルムを、延伸方向に送り出しながら中央部分で折り返すと共に、折り返した底辺部１１を除く周囲をシール部１２としてシールすることで、化粧水を収容部１３に封入した状態で形成される。すなわち、樹脂フィルムを折り返した状態で送り出すと共に、縦型整袋充填機の充填口から化粧水を供給しつつ、収容部１３の周囲の底辺部１１を除く三方を所望のシール形状を有するシール部１２としてシール手段を用いてシールすることで、底辺部１１と、傾斜シール部１８との境界線１８ａによる傾斜辺部とを有する横倒しした略台形形状の収容部１３に化粧水が封入された、開封ツマミ片２０や切欠き領域袋２１が形成される前の袋１０が得られる。
【００１８】
なお、本第１実施形態では、収容部１３は、図１に示すように、横倒しした略台形形状を有していることにより、傾斜シール部１８との境界線１８ａによる傾斜辺部は、接続短辺２２を介して底辺部１１の開封側端部１１ａと接続している。また、底辺部１７に対する傾斜辺部１８ａの傾斜角度θは、１５〜６０度となっていることが好ましい。底辺部１７に対する傾斜辺部１８ａの傾斜角度θが１５〜６０度となっていることにより、開封時に確実に袋本体部１７の開封切込み線１４の近傍部分を手で把持することができ、先端開封部１５を底辺部１１まで容易に切断することができる。また、開口した注出口１６から安定した状態で化粧水を注出することができる。
【００１９】
さらに、本第１実施形態では、縦型整袋充填機によって形成された開封ツマミ片２０や切欠き領域２１が形成される前の袋１０に対して、収容部１３の傾斜辺部１８ａの外側部分のシール部１２に、底辺部１１と対向する矩形形状の長辺部に沿って三角形状の切欠きを切欠き領域２１として形成する。これによって、開封ツマミ片２０が、その内側の一辺部２０ａを底辺部１１と垂直又は略垂直に配置した状態で、シール部１２を開封切込み線１４の切込み方向と反対側に延長するように立設させることで、袋１０の先端側領域に設けられる。また三角形状の切欠き領域２１は、開封切込み線１４を挟んで開封ツマミ片２０と隣接する部分の袋本体部１７に形成される。
【００２０】
さらにまた、本第１実施形態では、開封ツマミ片２０の内側の一辺部２０ａから下方に延設するようにして、開封ツマミ片２０を摘んで開封操作を行う際の切り離し開始部となる開封切込み線１４が、シール部１２に食い込むようにして形成される。これによって、開封切込み線１４は、底辺部１１と垂直又は略垂直な方向に切り込まれると共に、開封ツマミ片２０は、開封切込み線１４の延長線１９に沿った一辺部２０ａを有することになる。また開封切込み線１４及びこれの延長線１９よりも先端側部分が、開封ツマミ片２０を摘んだ開封操作によって注出口１６を形成する際に、先端開封部１５として切り離されることになる。
【００２１】
ここで、本発明では、開封ツマミ片２０は、開封操作時に摘み易く、またせん断方向Ｘ（図７参照）に力を加え易いようにその長さＬ1や幅Ｗ1が設定されている。開封ツマミ片２０の好ましい長さＬ1は５〜４０ｍｍであり、より好ましくは１０〜３０ｍｍであり、さらに好ましくは１５〜２５ｍｍである。また、開封ツマミ片の好ましい幅Ｗ1は３〜４０ｍｍであり、より好ましくは５〜３０ｍｍであり、さらに好ましくは７〜１５ｍｍである。開封ツマミ片２０の長さＬ1と幅Ｗ1との比（Ｌ1／Ｗ1）は１〜６であることが、せん断方向に開封操作を行いやすくなるため好ましい。
【００２２】
また、本発明では、開封切込み線１４は、先端開封部１５を切り離した際に形成される注出口１６の当該開封切込み線１４に沿った開口長さＬ2が１〜１０ｍｍになるような位置に設けられていることが好ましい。これによって、開封操作が容易になると共に、開口形成された注出口１６から安定した状態で物質を注出させることが可能になる。
【００２３】
さらに、本発明では、開封ツマミ片２０と隣接する部分のシール部１２に形成された切欠き領域２１は、開封ツマミ片２０を手で摘んで開封操作を行う際に、引っ張り方向Ｙ（図８参照）よりもせん断方向Ｘ（図７参照）に開封操作を行い易くなるように誘導する機能を発揮することができる。すなわち、開封ツマミ片２０と隣接する部分に切欠き領域２１が介在していることにより、使用者は、開封ツマミ片２０を摘む手とは異なる手で袋本体部１７を把持して袋１０押さえておく際に、切欠き領域２１が介在することで開封ツマミ片２０から離れた部分の袋本体部１７よりも、開封切込み線１４の近傍部分Ｚ（図７参照）の袋本体部１７を把持し易くなるので、開封切込み線１４の近傍部分Ｚを無理なく押さえた状態での開封ツマミ片２０によるせん断方向Ｘ（図７参照）への開封操作を、スムーズに行なうことが可能になる。このような機能を効果的に発揮するには、切欠き領域２１の切欠き基端部における切欠き幅Ｗ2は、開封ツマミ片２０の幅Ｗ1の１／２以上であることが好ましく、より好ましくは幅Ｗ1と同じ、さらに好ましくは幅Ｗ1より大きくなっている。
【００２４】
そして、上述の構成を備える本第１実施形態の袋１０によれば、簡易な構成によって、配向方向とは異なる方向に樹脂フィルムを切り離して注出口１６を形成する場合でも、開封操作を極めて容易に行うことが可能になると共に、開封後に形成された注出口１６の開口形状を所望の大きさに容易に保持させて、安定した状態で内容物を注出させることが可能になる。
【００２５】
すなわち、本第１実施形態の袋１０によれば、袋１０は、１枚の樹脂フィルムを折り返すと共に、折り返した底辺部１１を除く周囲をシールし、さらに切欠き領域２１及び開封切込み線１４を形成するだけの簡易な構成を備えていて、容易に形成することができると共に、開封ツマミ片２０を摘んで、開封切込み線１４の延長線１９に沿って先端開封部１５を切り離すことにより、図２に示すように、注出口１６を容易に形成することが可能になる。また、形成された注出口１６は、シール部１２とは反対側の樹脂フィルムを折り返した底辺部１１が、注出口１６の開口周縁部１６ａに含まれるように形成されているので、先端開封部１５が切り離された際に、注出口１６と近接する部分の底辺部１１が、樹脂フィルムの折れ癖に抗して直線状に戻ろうとする復元力によって、折れ癖を中心として開く方向に変形しようとするので、この復元力によって、注出口１６の開口形状を相当の大きさに保持することが可能になる。
【００２６】
さらに、本第１実施形態では、袋１０は、例えば縦型整袋充填機を使用して形成されていて、折り返した底辺部１１に沿った方向が樹脂フィルムの延伸方向（配向方向）となっており、配向方向と交差する垂直又は略垂直な方向には切り裂き難くなっているが、開封ツマミ片２０や切欠き領域２１や開封切込み線１４が設けられているので、フィブリル化を生じさせることなく、配向方向と垂直又は略垂直な方向への開封操作を容易に行うことが可能になる。
【００２７】
これらによって、本第１実施形態の袋１０によれば、例えばぬるぬるとした滑り易い指や手によって開封操作や注出操作を行う場合でも、さらに開封操作をし易くすると共に、さらに安定した状態で内容物である化粧水を注出し易くすることが可能になる。
【００２８】
ここで、袋を構成する樹脂フィルムを引き裂く方向が配向方向と垂直又は略垂直な方向となっている場合、例えば切断部の近傍部分を正確に把持して爪を立てるようにしながらせん断方向に開封操作を行えば、袋を比較的うまく開封できるが、このような操作はお年寄りや身体に障害を持つ人にとっては困難である。また樹脂フィルムとして配向の影響の少ない樹脂を用いたり、シール部にエンボス加工を施すことで開封のし易さを改善することも考えられるが、内容物の保護に適した材質が選べなかったり、樹脂の費用や加工費用が高価であったりする。本第１実施形態によれば、このような高価な改善を要することなく、簡単な開封操作によって、お年寄りや身体に障害を持つ人であっても、容易に注出口１６を形成することが可能になる。
【００２９】
また、開口形成された注出口１６の下側にシール部が存在しないため、注出される物質が、シール部を伝い流れて意図しない場所にこぼれてしまうことがない。また、注出口１６の下側にシール部が存在しないことで、注出口１６を目的の場所に近接して配置できることから、例えば口の細い器に注いだり、ソース等の調味料で皿や食材上に文字や図柄を描くような、ピンポイントでの注出が可能となる。さらに、開封操作が容易であるから、樹脂フィルムを構成する樹脂を選ばずに加工が容易な袋を提供できる。さらにまた、注出口１６が形成される位置が明確なので、目の不自由な人でも容易に開封部分を認識することができ、身体の不自由な人でも失敗することなく開封操作を行うことが可能になる。
【００３０】
図３は、本発明の好ましい第２実施形態に係る袋３０を示すものである。本第２実施形態の袋３０は、上記第１実施形態の袋１０と略同様の構成を備える一方で、収容部３８との境界線である傾斜辺部３１ａの外側部分のシール部３２は、傾斜シール部３１として傾斜辺部３１ａに沿って斜めにやや幅広に形成されている。この傾斜辺部３１ａに沿った幅広の傾斜シール部３１に、開封切込み線３３の切込み開始部を頂部とする３角形の切欠きを切欠き領域３４として形成することで、開封ツマミ片３５が開封切込み線３３よりも先端側の領域である先端開封部３７に設けられている。本第２実施形態の袋３０によっても、開封ツマミ片３５を摘んで、開封切込み線３３の延長線３６に沿って先端開封部３７を切り離すことにより注出口が容易に形成されて、上記第１実施形態の袋１０と同様の作用効果を奏することになる。
【００３１】
図４は、本発明の好ましい第３実施形態に係る袋４０を示すものである。本第３実施形態の４０は、上記第１実施形態の袋１０と略同様の構成を備える一方で、傾斜シール部４１の収容部４４との境界線である傾斜辺部４１ａは、接続短辺を介することなく底辺部４２の開封側端部４２ａと直接接続している。また傾斜辺部４１ａの開封側とは反対側の部分には、底辺部４２と平行又は略平行に延設する上辺部４３が延設していて、底辺部４２との間に台形形状の収容部４４が形成されている。本第３実施形態の袋４０によっても、開封ツマミ片４５を摘んで、開封切込み線４６の延長線４７に沿って先端開封部４８を切り離すことにより注出口が容易に形成されて、上記第１実施形態の袋１０と同様の作用効果を奏することになる。
【００３２】
図５は、本発明の好ましい第４実施形態に係る袋５０を示すものである。本第４実施形態の袋５０は、上記第１実施形態の袋１０と略同様の構成を備える一方で、傾斜シール部５１は、下に凸の曲線状に設けられていることで、収容部５２は、斜辺部が凹状に湾曲した略台形形状を備えている。また、開封ツマミ片５３と隣接する切欠き領域５４は、その切欠き基端部における切欠き幅Ｗ2が、上記第１実施形態の袋１０の切欠き幅Ｗ2よりも小さいものの、開封ツマミ片５３の幅Ｗ1よりも大きくなっている。本第４実施形態の袋５０によっても、開封ツマミ片５３を摘んで、開封切込み線５５の延長線に沿って先端開封部５６を切り離すことにより注出口が容易に形成されて、上記第１実施形態の袋１０と同様の作用効果を奏することになる。
【００３３】
すなわち、本第４実施形態によれば、開封ツマミ片５３と隣接する部分に相当の切欠き幅Ｗ2を有する切欠き領域５４が介在していることにより、図７に示すように、使用者は、開封ツマミ片５３を摘む手とは異なる手で、開封切込み線５５の近傍部分Ｚの袋本体部５７を把持し易くなるので、開封切込み線５５の近傍部分Ｚを無理なく押さえた状態での開封ツマミ片５３によるせん断方向Ｘへの開封操作を、スムーズに行なうことが可能になる。また、図８（ａ）に示すように、開封ツマミ片５３を摘んで誤まって引張り方向Ｙに力を加えた場合においても、底辺部５８がシールされておらず柔軟なために、図８（ｂ）に示すように面外への変形が容易に起こることで、せん断方向Ｘへと力の向きを変化させることによって、注出口を容易に形成することが可能になる。
【００３４】
本第４実施形態の袋５０は、開封後の注出口の先端の形状が先細になるため、特に低粘度の液体を定量的に注出したり、描画したりするのに適する。
【００３５】
図６は本発明の好ましい第５実施形態に係る袋６０を示すものである。本第５実施形態の袋６０は、上記第１実施形態の袋１０と略同様の構成を備える一方で、傾斜シール部６１は、上に凸の曲線状に設けられていることで、収容部６２は、斜辺部が凸状に湾曲した略台形形状を備えている。また、開封ツマミ片６３と隣接する切欠き領域６４は、その切欠き基端部における切欠き幅Ｗ2が開封ツマミ片６３の幅Ｗ1よりも大きくなっている。本第５実施形態の袋６０によっても、上記第１実施形態の袋１０と同様の作用効果を奏する。また、傾斜シール部６１が上に凸の曲線状に設けられていることで、開封ツマミ片６３に対向する本体部６５側に、把持の目印となるポイントを有さないことから、誤まった押さえつけ方法による開封操作の失敗を起こしにくい。本第５実施形態の袋６０は、注出口の首が短くなるので、顆粒などの粉末の注出に適する。
【００３６】
なお、本発明は上記実施形態に限定されることなく種々の変更が可能である。例えば、収容部に封入される物質は、化粧水である必要は必ずしもなく、例えばシャンプー等の液体洗浄剤や、醤油等の液体調味料などの、その他の種々の液体、あるいは、衣料用洗剤や酸素系漂白剤のような粉末洗浄剤、出汁や風味調味料等の粉末調味料であっても良い。
本発明の袋は、特に、１回ずつの使用を意図して小分けされた少量の製品の収容および使用に適するが、より大型の詰め替え製品の収容及び使用においても好適に用いられる。
また、ぬるぬるとした滑り易い指や手によって開封操作や注出操作が行われることに限定されることなく、例えば洗った指や手によって開封操作や注出操作を行っても良い。
【００３７】
さらに、本発明の袋は、図９（ａ），（ｂ）に示すように、収容部７０との境界線７１ａが底辺部７２に対して平行でも垂直でもない方向に延長する傾斜シール部７１を備えるようにし、この傾斜シール部７１に開封切込み線７３を形成することにより、例えば開封ツマミ片７４の幅や開封切込み線７３の位置を適宜調整することで、高価な金型を変更する必要なしに、収容する物質の種類や注出の目的に応じて、開口形成される注出口の大きさを変えることができる。
【符号の説明】
【００３８】
１０，３０，４０，５０，６０  袋
１１，４２，５８，７２  底辺部
１１ａ，４２ａ  底辺部の開封側端部
１２，３２  シール部
１３，３８，４４，５２，６２，７０  収容部
１４，３３，４６，５５，７３  開封切込み線
１５，３７，４８，５６  先端開封部
１６  注出口
１６ａ  注出口の開口周縁部
１７，５７，６５  本体部
１８，３１，４１，５１，６１，７１  傾斜シール部
１８ａ，３１ａ，４１ａ，７１ａ  傾斜辺部（収容部との境界線）
１９，３６，４７  開封切込み線の延長線
２０，３５，４５，５３，６３，７４  開封ツマミ片
２０ａ  開封ツマミ片の内側の一辺部
２１，３４，５４，６４  切欠き領域
２２  接続短辺
４３  上辺部
θ    底辺部に対する傾斜辺部の傾斜角度
Ｌ1    開封ツマミ片の長さ
Ｌ2    注出口の開口長さ
Ｗ1    開封ツマミ片の長さ
Ｗ2    切欠き領域の切欠き幅
Ｘ    せん断方法
Ｙ    引張り方向
Ｚ    開封切込み線の近傍部分
【図１】
0005567350.tif 000002
【図２】
0005567350.tif 000003
【図３】
0005567350.tif 000004
【図４】
0005567350.tif 000005
【図５】
0005567350.tif 000006
【図６】
0005567350.tif 000007
【図７】
0005567350.tif 000008
【図８】
0005567350.tif 000009
【図９】
0005567350.tif 000010